(57)【要約】  画像表示システムは、第１の表示オブジェクトが表示装置に表示されているときに行われた、当該第１の表示オブジェクトに対する入力操作における入力位置の移動方向及び移動量を含む操作情報を取得する取得手段と、入力位置の所定の第１の方向における移動量が所定の閾値を超えた場合に、第１の表示オブジェクトの第１の方向に対応する第１の属性パラメータを取得し、複数の表示オブジェクトが属性パラメータと関連付けて記憶されている記憶手段から、第１の表示オブジェクトに関連すると共に第１の表示オブジェクトとは異なる第１の属性パラメータを有する第２の表示オブジェクトを抽出する、抽出手段と、抽出手段により抽出された第２の表示オブジェクトを、第１の表示オブジェクトに代えて表示装置に表示させる表示制御手段と、を備える。
2017038882.tif 000002
【特許請求の範囲】
【請求項１】
第１の表示オブジェクトが表示装置に表示されているときに行われた、当該第１の表示オブジェクトに対する入力操作における入力位置の移動方向及び移動量を含む操作情報を取得する取得手段と、
前記入力位置の所定の第１の方向における移動量が所定の閾値を超えた場合に、前記第１の表示オブジェクトの前記第１の方向に対応する第１の属性パラメータを取得し、複数の表示オブジェクトが属性パラメータと関連付けて記憶されている記憶手段から、前記第１の表示オブジェクトに関連すると共に前記第１の表示オブジェクトとは異なる第１の属性パラメータを有する第２の表示オブジェクトを抽出する、抽出手段と、
前記抽出手段により抽出された前記第２の表示オブジェクトを、前記第１の表示オブジェクトに代えて前記表示装置に表示させる表示制御手段と、
を備える画像表示システム。
【請求項２】
前記第１の属性パラメータは、前記表示オブジェクトのサイズまたは前記表示オブジェクトを構成する物体の個数に関し、
前記抽出手段は、前記操作情報に含まれる前記入力位置の前記第１の方向における移動量が所定の閾値を超えた場合に、前記記憶手段から、前記第１の表示オブジェクトとはサイズが異なる表示オブジェクトまたは構成する物体の個数が異なる表示オブジェクトを、前記第２の表示オブジェクトとして抽出する、
請求項１に記載の画像表示システム。
【請求項３】
前記抽出手段は、前記第１の方向とは異なる第２の方向における移動量が所定の閾値を超えた場合に、前記第１の表示オブジェクトの前記第２の方向に対応する第２の属性パラメータを取得し、前記記憶手段から、前記第１の表示オブジェクトに関連すると共に前記第１の表示オブジェクトとは異なる第２の属性パラメータを有する第２の表示オブジェクトを抽出する、
請求項１または２に記載の画像表示システム。
【請求項４】
前記表示オブジェクトは衣服画像であり、
前記記憶手段は、サイズが異なる複数の衣服画像をサイズに関連付けて記憶しており、
前記取得手段は、第１の衣服画像が表示装置に表示されているときに行われた、当該第１の衣服画像に対する入力操作の前記操作情報を取得し、
前記抽出手段は、前記操作情報に含まれる前記入力位置の前記第１の方向における移動量が所定の閾値を超えた場合に、前記記憶手段から、前記第１の衣服画像に関連付けられた衣服画像のうち、前記第１の衣服画像とは異なるサイズの衣服画像を第２の衣服画像として抽出し、
前記表示制御手段は、前記抽出手段により抽出された前記第２の衣服画像を、前記第１の衣服画像に代えて前記表示装置に表示させる、
請求項１〜３のいずれか一項に記載の画像表示システム。
【請求項５】
前記抽出手段は、
所定方向における前記入力位置の移動量が所定の閾値を超えた場合に、前記第１の衣服画像のサイズより大きいサイズの衣服画像を前記第２の衣服画像として抽出し、
前記所定方向の逆方向における前記入力位置の移動量が所定の閾値を超えた場合に、前記第１の衣服画像のサイズより小さいサイズの衣服画像を前記第２の衣服画像として抽出する、
請求項４に記載の画像表示システム。
【請求項６】
前記抽出手段は、
前記入力位置の移動速度が所定速度未満である場合に、前記第１の衣服画像のサイズより１段階大きいサイズの衣服画像または１段階小さいサイズの衣服画像を第２の衣服画像として抽出し、前記入力位置の移動速度が所定速度以上である場合に、前記第１の衣服画像のサイズより２段階以上大きいサイズの衣服画像または２段階以上小さいサイズの衣服画像を第２の衣服画像として抽出する、
請求項５に記載の画像表示システム。
【請求項７】
前記抽出手段は、前記入力操作に係るユーザに関する情報に基づいて、衣服画像のサイズ及び前記サイズ以外の属性値のうちの少なくとも一つごとに前記所定の閾値を設定する、
請求項４〜６のいずれか一項に記載の画像表示システム。
【請求項８】
前記衣服画像は、属性としてのサイズ及び前記サイズ以外の他の属性を有し、
前記サイズ及び前記他の属性の属性値が異なる複数の衣服画像が関連付けられて前記記憶手段に記憶されており、
前記抽出手段は、
第１の方向に沿う前記入力位置の移動量が所定の第１の閾値を超えた場合に、前記第１の衣服画像と異なるサイズを有する衣服画像を第２の衣服画像として抽出し、
第２の方向に沿う前記入力位置の移動量が所定の第２の閾値を超えた場合に、前記第１の衣服画像と異なる他の属性の属性値を有する衣服画像を第２の衣服画像として抽出する、
請求項４〜７のいずれか一項に記載の画像表示システム。
【請求項９】
衣服画像は、該衣服画像に表された衣服の在庫の有無に関する在庫情報と関連付けられており、
前記抽出手段は、
前記第１の衣服画像より大きいサイズの衣服画像が抽出された場合において、抽出された該衣服画像に関連付けられた在庫情報において該衣服画像に表された衣服の在庫がないことが示されている場合に、抽出された前記衣服画像より大きいサイズの衣服画像を前記第２の衣服画像として再抽出し、
前記第１の衣服画像より小さいサイズの衣服画像が抽出された場合において、抽出された該衣服画像に関連付けられた在庫情報において該衣服画像に表された衣服の在庫がないことが示されている場合に、抽出された前記衣服画像より小さいサイズの衣服画像を前記第２の衣服画像として再抽出し、
前記表示制御手段は、前記抽出手段により再抽出された前記第２の衣服画像を、前記第１の衣服画像に代えて前記表示装置に表示させる、
請求項４〜８のいずれか一項に記載の画像表示システム。
【請求項１０】
前記表示制御手段は、
前記入力操作に係るユーザの身体的サイズに関する情報に基づき、前記ユーザを表す人体モデル画像を表示装置に表示させ、
前記第２の衣服画像を前記人体モデル画像に重畳して表示させる、
請求項４〜９のいずれか一項に記載の画像表示システム。
【請求項１１】
前記人体モデル画像は、人体における所定の部位の位置を示す基準位置を有し、
衣服画像は、前記部位に重畳すべき位置を示す重畳基準位置を有し、
前記表示制御手段は、前記重畳基準位置を前記基準位置に合わせて、前記第２の衣服画像を前記人体モデル画像に重畳して表示させる、
請求項１０に記載の画像表示システム。
【請求項１２】
前記表示オブジェクトは、物体を表し、前記物体の３軸の座標系における各座標軸に沿う長さをそれぞれ表す第１〜第３の属性パラメータを有し、
前記抽出手段は、互いに異なる所定の第１〜第３の方向のうちのいずれかの方向における入力位置の移動量が所定の閾値を超えた場合に、前記表示装置に表示された前記第１の表示オブジェクトの向きに基づいて決定される、前記物体における第１〜第３の軸と前記第１〜第３の方向との対応関係に基づき、前記入力位置の移動方向に対応する座標軸に応じて、前記第１〜第３の属性パラメータのうちの少なくとも１つの属性パラメータを取得し、取得した前記第１〜第３の属性パラメータのうちの少なくとも１つが前記第１の表示オブジェクトと異なる第２の表示オブジェクトを抽出する、
請求項１〜３のいずれか一項に記載の画像表示システム。
【請求項１３】
前記抽出手段は、
前記記憶手段において前記第１の表示オブジェクトに関連付けられている表示オブジェクトであって、前記第１〜第３の属性パラメータのうちの少なくとも１つの値が前記第１の表示オブジェクトの次に大きい又は小さい値を有する表示オブジェクトを前記第２の表示オブジェクトとして抽出し、
または、
前記第１の表示オブジェクトの前記第１〜第３の属性パラメータのうちの少なくとも１つの値に所定値を加えた値又は所定値を乗じた値を前記第１〜第３の属性パラメータのうちの少なくとも１つに関する検索条件として少なくとも含む検索を前記記憶手段に対して行うことにより前記第２の表示オブジェクトを抽出する、
請求項１２に記載の画像表示システム。
【請求項１４】
前記抽出手段は、前記表示オブジェクトにより表される物体が配置される空間を表し前記表示オブジェクトが重畳される画像に基づいて、前記物体の大きさに関する制約条件を取得し、前記制約条件に基づいて前記検索条件を生成する、
請求項１３に記載の画像表示システム。
【請求項１５】
前記表示制御手段は、前記表示オブジェクトにより表される物体が配置される空間を表し前記表示オブジェクトが重畳される画像に基づいて、前記物体の大きさに関する制約条件を取得し、前記第２の表示オブジェクトにより表される物体が前記制約条件を満たさない場合に、当該第２の表示オブジェクトを前記表示装置に表示させず、前記第１の表示オブジェクトの表示を維持する、
請求項１３または１４に記載の画像表示システム。
【請求項１６】
前記表示制御手段は、前記表示オブジェクトにより表される物体が配置される空間を表し前記表示オブジェクトが重畳される画像に基づいて、前記物体の配置に関する基準位置を取得し、前記第２の表示オブジェクトにおける前記基準位置に重畳すべき位置を示す重畳基準位置を前記基準位置に合わせて、前記第２の表示オブジェクトを前記空間の画像に重畳して表示させる、
請求項１２〜１５のいずれか一項に記載の画像表示システム。
【請求項１７】
前記入力操作は、第１の表示オブジェクトが表示された画面におけるピンチ操作、スワイプ操作又はドラッグ操作である、請求項１〜１６のいずれか一項に記載の画像表示システム。
【請求項１８】
画像表示システムにおける画像表示方法であって、
第１の表示オブジェクトが表示装置に表示されているときに行われた、当該第１の表示オブジェクトに対する入力操作における入力位置の移動方向及び移動量を含む操作情報を取得する取得ステップと、
前記入力位置の所定の第１の方向における移動量が所定の閾値を超えた場合に、前記第１の表示オブジェクトの前記第１の方向に対応する第１の属性パラメータを取得し、複数の表示オブジェクトが属性パラメータと関連付けて記憶されている記憶手段から、前記第１の表示オブジェクトに関連すると共に前記第１の表示オブジェクトとは異なる第１の属性パラメータを有する第２の表示オブジェクトを抽出する、抽出ステップと、
前記抽出ステップにおいて抽出された前記第２の表示オブジェクトを、前記第１の表示オブジェクトに代えて前記表示装置に表示させる表示制御ステップと、
を有する画像表示方法。
【請求項１９】
コンピュータを、
第１の表示オブジェクトが表示装置に表示されているときに行われた、当該第１の表示オブジェクトに対する入力操作における入力位置の移動方向及び移動量を含む操作情報を取得する取得手段、
前記入力位置の所定の第１の方向における移動量が所定の閾値を超えた場合に、前記第１の表示オブジェクトの前記第１の方向に対応する第１の属性パラメータを取得し、複数の表示オブジェクトが属性パラメータと関連付けて記憶されている記憶手段から、前記第１の表示オブジェクトに関連すると共に前記第１の表示オブジェクトとは異なる第１の属性パラメータを有する第２の表示オブジェクトを抽出する、抽出手段、及び、
前記抽出手段により抽出された前記第２の表示オブジェクトを、前記第１の表示オブジェクトに代えて前記表示装置に表示させる表示制御手段、
として機能させる画像表示プログラム。
【発明の詳細な説明】
【技術分野】
【０００１】
本発明は、画像表示システム、画像表示方法及び画像表示プログラムに関する。
【背景技術】
【０００２】
従来より、商品等のオブジェクトの画像を提示するシステムが知られている。このようなシステムでは、その商品等の大きさ等の属性値を指定に応じたオブジェクトが表示される。このようなシステムの例として、衣服画像を人体モデル画像に重畳表示してユーザに提示するシステムが知られている。例えば、ユーザを表す人体形状データ及びサイズを指定して選択された被覆の被覆形状データに基づいて、その被覆を試着した状態を表す試着画像を生成及び表示する技術が知られている（例えば、特許文献１参照）。
【先行技術文献】
【特許文献】
【０００３】
【特許文献１】特開２００１−１４７９５９号公報
【発明の概要】
【発明が解決しようとする課題】
【０００４】
しかしながら、適切なサイズの衣服を把握するために表示された衣服のサイズを変更する場合には、従来の技術では、衣服のサイズをチェックボックスやプルダウンメニュー等により選択する操作を行い、更に選択したサイズの画像を表示させる操作を行う必要があった。即ち、表示された衣服の属性であるサイズを変更するためには複数回の操作が必要であり煩雑であった。【０００５】
そこで本発明は、簡易且つ直感的な操作により、表示されたオブジェクトの属性パラメータの変更を可能にすることを目的とする。
【課題を解決するための手段】
【０００６】
上記課題を解決するために、本発明の一形態に係る画像表示システムは、第１の表示オブジェクトが表示装置に表示されているときに行われた、当該第１の表示オブジェクトに対する入力操作における入力位置の移動方向及び移動量を含む操作情報を取得する取得手段と、入力位置の所定の第１の方向における移動量が所定の閾値を超えた場合に、第１の表示オブジェクトの第１の方向に対応する第１の属性パラメータを取得し、複数の表示オブジェクトが属性パラメータと関連付けて記憶されている記憶手段から、第１の表示オブジェクトに関連すると共に第１の表示オブジェクトとは異なる第１の属性パラメータを有する第２の表示オブジェクトを抽出する、抽出手段と、抽出手段により抽出された第２の表示オブジェクトを、第１の表示オブジェクトに代えて表示装置に表示させる表示制御手段と、を備える。【０００７】
本発明の一形態に係る画像表示方法は、画像表示システムにおける画像表示方法であって、第１の表示オブジェクトが表示装置に表示されているときに行われた、当該第１の表示オブジェクトに対する入力操作における入力位置の移動方向及び移動量を含む操作情報を取得する取得ステップと、入力位置の所定の第１の方向における移動量が所定の閾値を超えた場合に、第１の表示オブジェクトの第１の方向に対応する第１の属性パラメータを取得し、複数の表示オブジェクトが属性パラメータと関連付けて記憶されている記憶手段から、第１の表示オブジェクトに関連すると共に第１の表示オブジェクトとは異なる第１の属性パラメータを有する第２の表示オブジェクトを抽出する、抽出ステップと、抽出ステップにおいて抽出された第２の表示オブジェクトを、第１の表示オブジェクトに代えて表示装置に表示させる表示制御ステップと、を有する。【０００８】
本発明の一形態に係る画像表示プログラムは、コンピュータを、第１の表示オブジェクトが表示装置に表示されているときに行われた、当該第１の表示オブジェクトに対する入力操作における入力位置の移動方向及び移動量を含む操作情報を取得する取得手段、入力位置の所定の第１の方向における移動量が所定の閾値を超えた場合に、第１の表示オブジェクトの第１の方向に対応する第１の属性パラメータを取得し、複数の表示オブジェクトが属性パラメータと関連付けて記憶されている記憶手段から、第１の表示オブジェクトに関連すると共に第１の表示オブジェクトとは異なる第１の属性パラメータを有する第２の表示オブジェクトを抽出する、抽出手段、及び、抽出手段により抽出された第２の表示オブジェクトを、第１の表示オブジェクトに代えて表示装置に表示させる表示制御手段、として機能させる。【０００９】
上記の形態によれば、第１の表示オブジェクトが表示されているときに行われた入力操作が取得され、入力位置の所定の方向の移動量が所定の閾値を超えた場合に、第１の表示オブジェクトとは異なる属性パラメータを有する第２の表示オブジェクトが第１の表示オブジェクトに代えて表示されるので、属性パラメータの変更という要求に対して直感的であり、且つ、入力位置を移動させるような簡易な一つの操作により、表示された表示オブジェクトの属性パラメータを変更することが可能となる。また、第１の表示オブジェクトに代えて表示される第２の表示オブジェクトは、当該表示オブジェクトの属性パラメータのバリエーションとして予め記憶された表示オブジェクトの中から抽出されるので、表示された表示オブジェクトの拡大処理または縮小処理とは異なり、実際に存在する属性パラメータを有する表示オブジェクトを表示させることが可能となる。【００１０】
別の形態に係る画像表示システムでは、第１の属性パラメータは、表示オブジェクトのサイズまたは表示オブジェクトを構成する物体の個数に関し、抽出手段は、操作情報に含まれる入力位置の第１の方向における移動量が所定の閾値を超えた場合に、記憶手段から、第１の表示オブジェクトとはサイズが異なる表示オブジェクトまたは構成する物体の個数が異なる表示オブジェクトを、第２の表示オブジェクトとして抽出する。【００１１】
上記の形態によれば、第１の表示オブジェクトが表示されているときに行われた入力操作が取得され、入力位置の所定方向の移動量が所定の閾値を超えた場合に、第１の表示オブジェクトとは異なるサイズの表示オブジェクト、または、第１の表示オブジェクトとは構成する物体の数が異なる表示オブジェクトが、第１の表示オブジェクトに代えて表示されるので、サイズまたは構成する物体の個数の変更という要求に対して直感的であり、且つ、入力位置を移動させるような簡易な一つの操作により、表示された表示オブジェクトのサイズまたは構成する物体の個数を変更することが可能となる。また、第１の表示オブジェクトに代えて表示される第２の表示オブジェクトは、当該表示オブジェクトのサイズまたは構成する物体の個数のバリエーションとして予め記憶された表示オブジェクトの中から抽出されるので、表示された表示オブジェクトの拡大処理または縮小処理とは異なり、実際に存在するサイズまたは構成する物体の個数の表示オブジェクトを表示させることが可能となる。【００１２】
さらに別の形態に係る画像表示システムでは、抽出手段は、第１の方向とは異なる第２の方向における移動量が所定の閾値を超えた場合に、第１の表示オブジェクトの第２の方向に対応する第２の属性パラメータを取得し、記憶手段から、第１の表示オブジェクトに関連すると共に第１の表示オブジェクトとは異なる第２の属性パラメータを有する第２の表示オブジェクトを抽出することとしてもよい。【００１３】
上記形態によれば、第１の表示オブジェクトが表示されているときに行われた入力操作が取得され、入力位置の第１の方向及び第２の方向の移動量がそれぞれ所定の閾値を超えたか否かにより、第１の表示オブジェクトとは異なる第１及び第２の属性パラメータを有する第２の表示オブジェクトが第１の表示オブジェクトに代えて表示されるので、表示された第１の表示オブジェクトとは異なる第１及び第２の属性パラメータを有する表示オブジェクトを、直感的且つ簡易な一つの操作により表示させることが可能となる。【００１４】
別の形態に係る画像表示システムでは、表示オブジェクトは衣服画像であり、記憶手段は、サイズが異なる複数の衣服画像をサイズに関連付けて記憶しており、取得手段は、第１の衣服画像が表示装置に表示されているときに行われた、当該第１の衣服画像に対する入力操作の操作情報を取得し、抽出手段は、操作情報に含まれる入力位置の第１の方向における移動量が所定の閾値を超えた場合に、記憶手段から、第１の衣服画像に関連付けられた衣服画像のうち、第１の衣服画像とは異なるサイズの衣服画像を第２の衣服画像として抽出し、表示制御手段は、抽出手段により抽出された第２の衣服画像を、第１の衣服画像に代えて表示装置に表示させる。【００１５】
上記の形態によれば、第１の衣服画像が表示されているときに行われた入力操作が取得され、入力位置の所定方向の移動量が所定の閾値を超えた場合に、第１の衣服画像とは異なるサイズの衣服画像が第１の衣服画像に代えて表示されるので、サイズの変更という要求に対して直感的であり、且つ、入力位置を移動させるような簡易な一つの操作により、表示された衣服画像のサイズを変更することが可能となる。また、第１の衣服画像に代えて表示される第２の衣服画像は、当該衣服のサイズのバリエーションとして予め記憶された衣服画像の中から抽出されるので、表示された衣服画像の拡大処理または縮小処理とは異なり、実際に存在するサイズの衣服画像を表示させることが可能となる。【００１６】
さらに別の形態に係る画像表示システムでは、抽出手段は、所定方向における入力位置の移動量が所定の閾値を超えた場合に、第１の衣服画像のサイズより大きいサイズの衣服画像を第２の衣服画像として抽出し、所定方向の逆方向における入力位置の移動量が所定の閾値を超えた場合に、第１の衣服画像のサイズより小さいサイズの衣服画像を第２の衣服画像として抽出することとしてもよい。【００１７】
上記形態によれば、所定方向に入力位置を移動させる操作により、表示された衣服画像より大きいサイズの衣服画像が表示され、所定方向と逆方向に入力位置を移動させる操作により、表示された衣服画像より小さいサイズの衣服画像が表示されるので、ユーザは、入力位置の移動方向の変更により、表示される衣服画像の所望のサイズ変更を行うことができる。従って、表示された衣服画像のサイズの変更を直感的な操作で容易に行うことができる。【００１８】
さらに別の形態に係る画像表示システムでは、抽出手段は、入力位置の移動速度が所定速度未満である場合に、第１の衣服画像のサイズより１段階大きいサイズの衣服画像または１段階小さいサイズの衣服画像を第２の衣服画像として抽出し、入力位置の移動速度が所定速度以上である場合に、第１の衣服画像のサイズより２段階以上大きいサイズの衣服画像または２段階以上小さいサイズの衣服画像を第２の衣服画像として抽出することとしてもよい。【００１９】
上記形態によれば、所定速度以上で入力位置を移動させる入力操作を行った場合に、所定速度未満で入力位置を移動させる入力操作が行われた場合より、衣服画像のサイズがより大きくまたはより小さく変更されるので、ユーザは、入力位置の速度を変更することにより、表示される衣服画像のサイズの変更の度合いを決定できる。従って、所望のサイズの表示が直感的な操作により実現される。【００２０】
さらに別の形態に係る画像表示システムでは、抽出手段は、入力操作に係るユーザに関する情報に基づいて、衣服画像のサイズ及び属性値のうちの少なくとも一つごとに所定の閾値を設定することとしてもよい。【００２１】
上記形態によれば、ユーザに関する情報に基づいて、衣服画像のサイズ及び属性値に応じた、入力位置の移動量に関する閾値が設定されるので、当該ユーザの所望のサイズの衣服画像を表示させることが容易になるように制御することが可能となる。【００２２】
さらに別の形態に係る画像表示システムでは、衣服画像は、属性としてのサイズ及びサイズ以外の他の属性を有し、サイズ及び他の属性の属性値が異なる複数の衣服画像が関連付けられて記憶手段に記憶されており、抽出手段は、第１の方向に沿う入力位置の移動量が所定の第１の閾値を超えた場合に、第１の衣服画像と異なるサイズを有する衣服画像を第２の衣服画像として抽出し、第２の方向に沿う入力位置の移動量が所定の第２の閾値を超えた場合に、第１の衣服画像と異なる他の属性の属性値を有する衣服画像を第２の衣服画像として抽出することとしてもよい。【００２３】
上記形態によれば、第１の衣服画像が表示されているときに行われた入力操作が取得され、入力位置の第１の方向及び第２の方向の移動量が所定の第１の閾値及び第２の閾値を超えたか否かにより、第１の衣服画像とは異なるサイズ及び他の属性の属性値を有する衣服画像が第１の衣服画像に代えて表示されるので、表示された第１の衣服画像とは異なるサイズ及び属性値を有する衣服画像を、直感的且つ簡易な一つの操作により表示させることが可能となる。また、第１の衣服画像に代えて表示される第２の衣服画像は、当該衣服の属性のバリエーションとして予め記憶された衣服画像の中から抽出されるので、実際に存在する属性を有する衣服画像を表示させることが可能となる。【００２４】
さらに別の形態に係る画像表示システムでは、衣服画像は、該衣服画像に表された衣服の在庫の有無に関する在庫情報と関連付けられており、抽出手段は、第１の衣服画像より大きいサイズの衣服画像が抽出された場合において、抽出された該衣服画像に関連付けられた在庫情報において該衣服画像に表された衣服の在庫がないことが示されている場合に、抽出された衣服画像より大きいサイズの衣服画像を第２の衣服画像として再抽出し、第１の衣服画像より小さいサイズの衣服画像が抽出された場合において、抽出された該衣服画像に関連付けられた在庫情報において該衣服画像に表された衣服の在庫がないことが示されている場合に、抽出された衣服画像より小さいサイズの衣服画像を第２の衣服画像として再抽出し、表示制御手段は、抽出手段により再抽出された第２の衣服画像を、第１の衣服画像に代えて表示装置に表示させることとしてもよい。【００２５】
上記形態によれば、在庫がない衣服の衣服画像が抽出された場合に、当該衣服よりさらに大きい、または小さいサイズの衣服画像が再抽出されるので、在庫がない衣服の衣服画像が表示されない。従って、ユーザに対して、在庫がない衣服の衣服画像が提示されることを防止できる。【００２６】
さらに別の形態に係る画像表示システムでは、表示制御手段は、入力操作に係るユーザの身体的サイズに関する情報に基づき、ユーザを表す人体モデル画像を表示装置に表示させ、第２の衣服画像を人体モデル画像に重畳して表示させることとしてもよい。【００２７】
上記形態によれば、ユーザの身体的特徴を反映した人体モデル画像に衣服画像を重畳して表示させるので、当該衣服画像に表された衣服を当該ユーザが着た様子を把握させることが可能となる。【００２８】
さらに別の形態に係る画像表示システムでは、人体モデル画像は、人体における所定の部位の位置を示す基準位置を有し、衣服画像は、部位に重畳すべき位置を示す重畳基準位置を有し、表示制御手段は、重畳基準位置を基準位置に合わせて、第２の衣服画像を人体モデル画像に重畳して表示させることとしてもよい。【００２９】
上記形態によれば、衣服画像が、人体モデル画像に対して適切に重畳されるので、当該衣服画像に表された衣服を着た様子を適切に表すことが可能となる。【００３０】
さらに別の形態に係る画像表示システムでは、表示オブジェクトは、物体を表し、物体の３軸の座標系における各座標軸に沿う長さをそれぞれ表す第１〜第３の属性パラメータを有し、抽出手段は、互いに異なる所定の第１〜第３の方向のうちのいずれかの方向における入力位置の移動量が所定の閾値を超えた場合に、表示装置に表示された第１の表示オブジェクトの向きに基づいて決定される、物体における第１〜第３の軸と第１〜第３の方向との対応関係に基づき、入力位置の移動方向に対応する座標軸に応じて、第１〜第３の属性パラメータのうちの少なくとも１つの属性パラメータを取得し、取得した第１〜第３の属性パラメータのうちの少なくとも１つが第１の表示オブジェクトと異なる第２の表示オブジェクトを抽出することとしてもよい。【００３１】
上記形態によれば、第１の表示オブジェクトが表示されているときに行われた入力操作が取得され、入力位置の所定の第１〜第３の方向における移動量が所定の閾値を超えた場合に、物体における第１〜第３の軸と第１〜第３の方向との対応関係に基づいて取得された変更属性パラメータが第１の表示オブジェクトとは異なる第２の表示オブジェクトが抽出され、抽出されただい２の表示オブジェクトが表示装置に表示される。これにより、第１〜第３の軸に沿う長さのいずれかが第１の表示オブジェクトとは異なる第２の表示オブジェクトを、直感的且つ簡易な一つの操作により表示させることが可能となる。【００３２】
さらに別の形態に係る画像表示システムでは、抽出手段は、記憶手段において第１の表示オブジェクトに関連付けられている表示オブジェクトであって、第１〜第３の属性パラメータのうちの少なくとも１つの値が第１の表示オブジェクトの次に大きい又は小さい値を有する表示オブジェクトを第２の表示オブジェクトとして抽出し、または、第１の表示オブジェクトの第１〜第３の属性パラメータのうちの少なくとも１つの値に所定値を加えた値又は所定値を乗じた値を第１〜第３の属性パラメータのうちの少なくとも１つに関する検索条件として少なくとも含む検索を記憶手段に対して行うことにより第２の表示オブジェクトを抽出することとしてもよい。【００３３】
上記形態によれば、入力操作に応じて、記憶手段において予め第１の表示オブジェクトに関連付けられている第２の表示オブジェクトが抽出され、または、入力操作に応じた属性パラメータを有する表示オブジェクトが第１の表示オブジェクトに予め関連付けられていない場合であっても、入力操作に応じた属性パラメータの値を検索条件とする記憶手段の検索により第２の表示オブジェクトが抽出される。これにより、適切な第２の表示オブジェクトを表示させることができる。【００３４】
さらに別の形態に係る画像表示システムでは、抽出手段は、表示オブジェクトにより表される物体が配置される空間を表し表示オブジェクトが重畳される画像に基づいて、物体の大きさに関する制約条件を取得し、制約条件に基づいて検索条件を生成することとしてもよい。【００３５】
上記形態によれば、表示オブジェクトにより表される物体が配置される空間に対して適切な大きさを有する第２の表示オブジェクトが抽出される。【００３６】
さらに別の形態に係る画像表示システムでは、表示制御手段は、表示オブジェクトにより表される物体が配置される空間を表し表示オブジェクトが重畳される画像に基づいて、物体の大きさに関する制約条件を取得し、第２の表示オブジェクトにより表される物体が制約条件を満たさない場合に、当該第２の表示オブジェクトを表示装置に表示させず、第１の表示オブジェクトの表示を維持することとしてもよい。【００３７】
上記形態によれば、表示オブジェクトにより表される物体が配置される空間に対して不適切な大きさを有する第２の表示オブジェクトが表示されることが防止される。【００３８】
さらに別の形態に係る画像表示システムでは、表示制御手段は、表示オブジェクトにより表される物体が配置される空間を表し表示オブジェクトが重畳される画像に基づいて、物体の配置に関する基準位置を取得し、第２の表示オブジェクトにおける基準位置に重畳すべき位置を示す重畳基準位置を基準位置に合わせて、第２の表示オブジェクトを空間の画像に重畳して表示させることとしてもよい。【００３９】
上記形態によれば、第２の表示オブジェクトが、表示オブジェクトにより表される物体が配置される空間に対して適切に重畳されるので、当該第２の表示オブジェクトにより表される物体が空間に配置された様子を適切に表すことが可能となる。【００４０】
さらに別の形態に係る画像表示システムでは、入力操作は、第１の表示オブジェクトが表示された画面におけるピンチ操作、スワイプ操作又はドラッグ操作であることとしてもよい。【００４１】
上記形態によれば、非常に容易な操作により、表示された表示オブジェクトの属性パラメータを変更することが可能となる。
【発明の効果】
【００４２】
本発明の一側面によれば、簡易且つ直感的な操作により、表示されたオブジェクトの属性パラメータの変更が可能となる。
【図面の簡単な説明】
【００４３】
【図１】画像表示装置を含むシステムの構成を示す図である。
【図２】画像表示装置の機能構成を示すブロック図である。
【図３】画像表示装置のハードウェア構成を示す図である。
【図４】衣服画像情報テーブルの構成及び記憶されているデータの例を示す図である。
【図５】表示制御情報記憶部の構成及び記憶されているデータの例を示す図である。
【図６】在庫情報記憶部の構成及び記憶されているデータの例を示す図である。
【図７】衣服画像が表示された表示画面の例を示す図である。
【図８】衣服画像が人体モデル画像に重畳して表示された例及び入力操作の例を示す図である。
【図９】衣服画像が変更された例を示す図である。
【図１０】衣服画像が変更された例を示す図である。
【図１１】画像表示装置において実施される画像表示方法の処理内容を示すフローチャートである。
【図１２】画像表示プログラムの構成を示す図である。
【図１３】第２実施形態に係る画像表示装置の機能的構成を示すブロック図である。
【図１４】画像記憶部に記憶されている表示オブジェクトの例を示す図である。
【図１５】端末の表示装置に表示された表示画面の例を示す図である。
【図１６】表示装置に表示された表示オブジェクトを示す図である。
【図１７】表示装置に表示された表示オブジェクトを示す図である。
【図１８】第１の表示オブジェクトに代えて表示された第２のオブジェクトを示す図である。
【図１９】画像記憶部に記憶されている表示オブジェクトの他の例を示す図である。
【図２０】画像記憶部に記憶されている表示オブジェクトの他の例を示す図である。
【図２１】第１の表示オブジェクトに代えて第２の表示オブジェクトが表示画面に表示される処理の例を示す図である。
【図２２】第１の表示オブジェクトに代えて第２の表示オブジェクトが表示画面に表示される処理の例を示す図である。
【発明を実施するための形態】
【００４４】
以下、添付図面を参照しながら本発明の実施形態を詳細に説明する。なお、図面の説明において同一又は同等の要素には同一の符号を付し、重複する説明を省略する。
【００４５】
図１は、本実施形態に係る画像表示装置１０を含む画像表示システム１の構成を示す図である。図１に示すように、画像表示装置１０は、ユーザの端末ＴとネットワークＮを介して接続されている。
【００４６】
画像表示装置１０は、例えば、ネットワークを介して販売する商品のユーザからの注文を受け付ける電子商取引サイトに構成される装置であって、販売する商品に関する情報をユーザの端末Ｔに表示させる。
【００４７】
端末Ｔは、ユーザにより操作される装置であって、画像表示装置１０に対して、ユーザにより指定された検索条件を含む商品検索の要求を送信し、その要求に応じて返信された検索結果のリストを表示する。また、端末Ｔは、検索結果の中からユーザにより指定された商品に関する情報を画像表示装置１０に送信し、それに応じて返信された商品の画像である衣服画像を表示する。
【００４８】
端末Ｔを構成する装置は限定されず、例えば据置型又は携帯型のパーソナルコンピュータでもよいし、高機能携帯電話機（スマートフォン）や携帯電話機、携帯情報端末（ＰＤＡ）などの携帯端末でもよい。なお、図１では、端末Ｔは２台示されているが、端末Ｔの数はこれに限定されない。
【００４９】
（第１実施形態）
図２は、本実施形態に係る画像表示装置１０の機能的構成を示すブロック図である。本実施形態の画像表示装置１０は、衣服を販売する電子商取引サイトに構成される装置である。例えば、画像表示装置１０は、ユーザの端末Ｔにおいて指定された検索条件に基づき商品である衣服の検索を行い、検索結果のリストを端末Ｔに表示させる。そして、画像表示装置１０は、端末Ｔにおいて検索結果の中から指定された衣服の衣服画像を端末Ｔの表示装置（ディスプレイ）に表示させる。
【００５０】
図２に示すように、画像表示装置１０は、機能的には、表示制御部１１（表示制御手段）、取得部１２（取得手段）及び抽出部１３（抽出手段）を備える。また、画像表示装置１０は、衣服画像記憶部２１、表示制御情報記憶部２２及び在庫情報記憶部２３といった記憶手段にアクセス可能である。なお、これらの記憶部２１〜２３はそれぞれ、画像表示装置１０とネットワークを介してアクセス可能に構成されていてもよいし、画像表示装置１０の内部に構成されることとしてもよい。
【００５１】
図３は、画像表示装置１０のハードウェア構成図である。画像表示装置１０は、物理的には、図３に示すように、ＣＰＵ１０１、ＲＡＭ及びＲＯＭといったメモリにより構成される主記憶装置１０２、ハードディスク等で構成される補助記憶装置１０３、ネットワークカード等で構成される通信制御装置１０４などを含むコンピュータシステムとして構成されている。画像表示装置１０は、入力デバイスであるキーボード、マウス等の入力装置１０５及びディスプレイ等の出力装置１０６をさらに含むこととしてもよい。
【００５２】
図２に示した各機能は、図３に示すＣＰＵ１０１、主記憶装置１０２等のハードウェア上に所定のコンピュータソフトウェアを読み込ませることにより、ＣＰＵ１０１の制御のもとで通信制御装置１０４等を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。
【００５３】
また、端末Ｔも、物理的には、図３に示すようなハードウェア構成を有するコンピュータシステムとして構成されることとしてもよい。
【００５４】
再び図２を参照して、画像表示装置１０の各機能部の説明に先だって、衣服画像記憶部２１、表示制御情報記憶部２２及び在庫情報記憶部２３を説明する。
【００５５】
上述のとおり、画像表示装置１０が衣服を商品とする電子商取引サイトに構成される場合に、衣服画像記憶部２１は、商品である衣服の衣服画像及び衣服画像に関する各種情報を含む衣服画像情報テーブル２１Ｔを記憶している。
【００５６】
図４は、衣服画像情報テーブル２１Ｔの構成及び記憶されているデータの例を示す図である。図４に示すように、衣服画像情報テーブル２１Ｔは、商品としての衣服の種類を識別する衣服ＩＤごとに、属性１（サイズ）、属性２、画像データ、寸法データを記憶している。属性１は、当該衣服が有するサイズの属性値のバリエーションを示す。例えば、衣服ＩＤ「Ｃ１」の衣服は、サイズを属性として有しており、サイズの属性値のバリエーションとしてＳ，Ｍ，Ｌを有する。属性２は、当該衣服が有するサイズ以外の属性の属性値のバリエーションを示す。例えば、衣服ＩＤ「Ｃ２」の衣服は、丈の長さを属性として有しており、丈の長さの属性値のバリエーションとして、「ミディアム丈」及び「ロング丈」を有する。
【００５７】
画像データは、衣服画像のデータであって、各属性を有する衣服ごとに関連付けられている。例えば、「Ｓ」サイズの属性を有する、衣服ＩＤ「Ｃ１」の衣服の衣服画像のデータは、「Ｇ１１」である。各衣服の衣服画像の画像データは、上述のとおり、衣服画像記憶部２１に、衣服画像情報テーブル２１Ｔと共に記憶されている。
【００５８】
寸法データは、各衣服画像に表された衣服の各部の寸法に関する情報を含む。例えば、衣服画像に表された衣服がシャツである場合には、その衣服画像の寸法データは、丈の長さ、胸囲、胴囲、袖の長さ等の情報を含む。寸法データは、衣服画像を人体モデル画像に縮尺を合わせて重畳表示する際に用いられる。
【００５９】
表示制御情報記憶部２２は、衣服を識別する衣服ＩＤごとに、表示させる衣服画像を変更するための入力操作に関する情報を記憶している記憶手段である。図５は、表示制御情報記憶部２２の構成及び記憶されているデータの例を示す図である。表示制御情報記憶部２２に記憶された情報を用いた処理については後に詳述する。
【００６０】
在庫情報記憶部２３は、衣服の在庫数を記憶している記憶手段である。具体的には、在庫情報記憶部２３は、各衣服のサイズごと及び属性ごとの在庫数を記憶している。図６は、在庫情報記憶部２３の構成及び記憶されているデータの例を示す図である。例えば、サイズ「Ｓ」の衣服ＩＤ「Ｃ１」の衣服の在庫数は、「Ｍ１１」である。
【００６１】
再び図２を参照して、画像表示装置１０の各機能部について説明する。表示制御部１１は、衣服画像を表示装置に表示させる部分である。本実施形態では、表示制御部１１は、端末Ｔの表示装置に、衣服画像を含む種々の画像及び情報を表示させる。図７は、衣服画像が表示された表示画面の例を示す図である。
【００６２】
上述のとおり、画像表示装置１０が衣服を商品とする電子商取引サイトに構成される場合には、図７に示すように、表示制御部１１は、例えば、ユーザの端末Ｔにおいて指定された検索条件に基づき検索された衣服のリストＬを端末Ｔの表示装置に表示させる。
【００６３】
また、表示制御部１１は、端末ＴにおいてリストＬの中から指定された衣服の衣服画像（表示オブジェクト）を、衣服画像記憶部２１から抽出して、端末Ｔに表示させる。図７に示す例では、表示制御部１１は、衣服ＩＤ「Ｃ１」、サイズ「Ｍ」のシャツを表す衣服画像Ｇ１２及び衣服ＩＤ「Ｃ２」、サイズ「Ｍ」、属性２「ミディアム丈」のスカートを表す衣服画像Ｇ２１２を第１の衣服画像として表示する。
【００６４】
また、表示制御部１１は、ユーザを表す人体モデル画像Ｈを表示させてもよい。人体モデル画像における各部のサイズは、別途入力済み又は設定済みのユーザの身体的サイズに関する情報に基づき調整されている。
【００６５】
図８は、衣服画像が人体モデル画像に重畳して表示された例を示す図である。端末Ｔにおいて、ユーザにより表示されている衣服画像を人体モデル画像に近付けるような操作が行われた場合に、表示制御部１１は、衣服画像を人体モデル画像に重畳して表示する。表示制御部１１は、衣服画像を人体モデル画像に重畳して表示させる際に、位置合わせを行うことができる。
【００６６】
具体的には、例えば、人体モデル画像には、人体における所定の部位を示す基準位置が設定されている。所定の部位は、例えば、腰、首及び肩等である。また、衣服画像には、人体モデル画像の所定の部位に重畳すべき位置を示す重畳基準位置が設定されている。例えば、シャツを表す衣服画像には、肩の位置を示す重畳基準位置が設定されている。また、スカートを表す衣服画像には、腰の位置を示す重畳基準位置が設定されている。表示制御部１１は、衣服画像の重畳基準位置を人体モデル画像における対応する部位を示す基準位置に合わせて、衣服画像を人体モデル画像に重畳して表示させる。
【００６７】
具体的には、図８に示すように、表示制御部１１は、シャツを表す衣服画像Ｇ１２の肩の位置を示す重畳基準位置を人体モデル画像Ｈの肩の位置を示す基準位置に合わせて、衣服画像Ｇ１２を人体モデル画像Ｈに重畳して表示させる。
【００６８】
また、表示制御部１１は、スカートを表す衣服画像Ｇ２１２の腰の位置を示す重畳基準位置を人体モデル画像Ｈの腰の位置を示す基準位置に合わせて、衣服画像Ｇ２１２を人体モデル画像Ｈに重畳して表示させる。
【００６９】
再び図２を参照して、取得部１２は、第１の表示オブジェクトが表示装置に表示されているときに行われた、当該第１の表示オブジェクトに対する入力操作における入力位置の移動方向及び移動量を含む操作情報を取得する。本実施形態では、取得部１２は、第１の衣服画像が表示装置に表示されているときに行われた入力操作に関する操作情報を取得する。操作情報は、当該入力操作における入力位置の移動方向及び移動量を含む。図８を参照して、操作情報の取得処理について説明する。
【００７０】
第１の衣服画像としての衣服画像Ｇ１２が、端末Ｔの表示装置に表示されているときに、矢印ｒ１に示されるような入力操作が行われると、取得部１２は、その入力位置の移動方向及び移動量を含む操作情報を取得する。具体的には、取得部１２は、矢印ｒ１が指し示す右方向、及び矢印ｒ１の長さに相当する量を移動方向及び移動量として取得する。なお、取得部１２は、衣服画像Ｇ１２の中心から遠ざかる方向として、移動方向を取得してもよい。また、矢印ｒ２に示されるような入力操作が行われると、取得部１２は、その入力位置の移動方向及び移動量を含む操作情報を取得する。具体的には、取得部１２は、矢印ｒ２が指し示す下方向、及び矢印ｒ２の長さに相当する量を移動方向及び移動量として取得する。
【００７１】
なお、取得部１２は、表示された第１の衣服画像上を始点として行われた入力操作を取得することとしてもよいし、表示装置の画面上のいずれの箇所を始点とするかによらず入力操作を取得することとしてもよい。
【００７２】
また、端末Ｔの表示装置がタッチパネルにより構成されている場合には、この入力操作は、タッチパネルにおけるスワイプ操作であってもよい。また、入力操作は、マウス等の入力装置によるドラッグ操作であってもよい。
【００７３】
抽出部１３は、入力位置の所定の第１の方向における移動量が所定の閾値を超えた場合に、第１の表示オブジェクトの第１の方向に対応する第１の属性パラメータを取得し、複数の表示オブジェクトが属性パラメータと関連付けて記憶されている記憶手段から、第１の表示オブジェクトに関連すると共に第１の表示オブジェクトとは異なる第１の属性パラメータを有する第２の表示オブジェクトを抽出する部分である。表示制御部１１は、抽出部１３により抽出された第２の表示オブジェクトを、第１の表示オブジェクトに代えて表示装置に表示させる。
【００７４】
具体的には、抽出部１３は、操作情報に含まれる入力位置の第１の方向における移動量が所定の閾値を超えた場合に、記憶手段から、第１の表示オブジェクトとはサイズが異なる表示オブジェクトを、第２の表示オブジェクトとして抽出する。
【００７５】
本実施形態では、抽出部１３は、操作情報に含まれる入力位置の所定方向における移動量が所定の閾値を超えた場合に、サイズが異なる複数の衣服画像を関連付けて記憶している衣服画像記憶部２１から、第１の衣服画像に関連付けられた衣服画像のうち、第１の衣服画像とは異なるサイズの衣服画像を第２の衣服画像として抽出する。表示制御部１１は、抽出部１３により抽出された第２の衣服画像を、第１の衣服画像に代えて表示装置に表示させる。
【００７６】
本実施形態では、抽出部１３は、表示制御情報記憶部２２に記憶された制御情報を参照して、衣服画像の抽出を実施する。表示制御情報記憶部２２は、上述のとおり、衣服を識別する衣服ＩＤごとに、表示させる衣服画像を変更するための入力操作に関する制御情報を記憶している。
【００７７】
具体的には、表示制御情報記憶部２２には、衣服を識別する衣服ＩＤごとに、当該衣服の衣服画像を関連付けられた衣服画像に変更する条件として、操作情報に示される入力位置の移動方向及びその移動量に関する閾値、並びに、変更する属性及びその属性の変更の方向が関連付けて設定されている。
【００７８】
例えば、衣服ＩＤ「Ｃ１」の衣服画像が第１の衣服画像として表示されているときに取得された操作情報における入力位置の移動が、方向「Ｄ１１」の方向に対して、閾値「Ｔ１１」を超える移動量の移動であった場合に、抽出部１３は、表示されている衣服画像よりも、大きいサイズの属性を有する衣服画像を衣服画像記憶部２１から抽出する。なお、方向「Ｄ１１」は、表示されている第１の衣服画像の中心から遠ざかる方向であり、方向「Ｄ１２」は、方向「Ｄ１１」の逆方向であって、表示されている第１の衣服画像の中心に近付く方向である。
【００７９】
抽出部１３は、所定方向における入力位置の移動量が所定の閾値を超えた場合に、第１の衣服画像のサイズより大きいサイズの衣服画像を第２の衣服画像として抽出し、所定方向の逆方向における入力位置の移動量が所定の閾値を超えた場合に、第１の衣服画像のサイズより小さいサイズの衣服画像を第２の衣服画像として抽出することとしてもよい。
【００８０】
かかる第２の衣服画像の抽出を、図８及び図９を参照して、より具体的に説明する。例えば、取得部１２により、図８の矢印ｒ１に示される入力操作に係る操作情報が取得された例を説明する。この例では、衣服画像Ｇ１２（サイズ「Ｍ」）が表示装置に表示されているときに行われた入力操作（矢印ｒ１）における入力位置の移動が、方向「Ｄ１１」に沿って、閾値「Ｔ１１」を超える移動量の移動である場合に、抽出部１３は、衣服ＩＤ「Ｃ１」の衣服画像のうち、サイズ「Ｍ」より大きいサイズ「Ｌ」の衣服画像Ｇ１３を抽出する。
【００８１】
そして、表示制御部１１は、図９に示すように、衣服画像Ｇ１３を、衣服画像Ｇ１２に代えて、端末Ｔの表示装置に表示させる。この表示に際して、表示制御部１１は、寸法データＥ１３に基づいて、衣服画像Ｇ１３の大きさを人体モデル画像と縮尺が合うように調整する。また、表示制御部１１は、衣服画像Ｇ１３における肩の位置を示す重畳基準位置を、人体モデル画像における肩の位置を示す基準位置に合わせて、衣服画像Ｇ１３を表示する。
【００８２】
また、衣服画像Ｇ１３（サイズ「Ｌ」）が表示装置に表示されているときに行われた入力操作における入力位置の移動が、方向「Ｄ１１」の逆方向である方向「Ｄ１２」に沿って、閾値「Ｔ１２」を超える移動量の移動である場合に、抽出部１３は、衣服ＩＤ「Ｃ１」の衣服画像のうち、サイズ「Ｌ」より小さいサイズ「Ｍ」の衣服画像Ｇ１２を抽出する。
【００８３】
また、サイズＳの衣服画像Ｇ１１が表示されているときに、方向「Ｄ１１」に沿い、閾値「Ｔ１１」の２倍を超える移動量の入力操作が行われた場合には、まず、入力位置の移動量が閾値「Ｔ１１」を超えたときに、抽出部１３が、サイズＭの衣服画像Ｇ１２を抽出し、表示制御部１１が、抽出された衣服画像Ｇ１２を衣服画像Ｇ１１に代えて表示装置に表示させる。そして、さらに入力位置が移動されて、その移動量が閾値「Ｔ１１」の２倍を超えたときに、抽出部１３が、サイズＬの衣服画像Ｇ１３を抽出し、表示制御部１１が、抽出された衣服画像Ｇ１３を衣服画像Ｇ１２に代えて表示装置に表示させる。このように、サイズの異なる衣服画像を連続的に変更させて表示する場合には、従来のシステムでは複数の操作が必要であったところ、本実施形態では、１つの操作で実現される。
【００８４】
このように、ユーザは、所定の方向に沿って入力位置を移動させる入力操作をしたり、所定の方向の逆方向に沿って入力位置を移動させる入力操作をしたりすることにより、表示される衣服画像の所望のサイズ変更を行うことができる。従って、表示された衣服画像のサイズの変更を直感的な操作で容易に行うことができる。
【００８５】
また、抽出部１３は、入力位置の移動速度が所定速度未満である場合に、第１の衣服画像のサイズより１段階大きいサイズの衣服画像または１段階小さいサイズの衣服画像を第２の衣服画像として抽出し、入力位置の移動速度が所定速度以上である場合に、第１の衣服画像のサイズより２段階以上大きいサイズの衣服画像または２段階以上小さいサイズの衣服画像を第２の衣服画像として抽出することとてもよい。
【００８６】
具体的には、例えば、衣服ＩＤ「Ｃ１」のサイズ「Ｓ」の衣服画像「Ｇ１１」が第１の衣服画像として表示装置に表示されているときに、予め設定された所定速度未満の移動速度を有し、方向「Ｄ１１」への閾値「Ｔ１１」を超える移動量の入力位置の移動が操作情報として取得部１２により取得された場合には、抽出部１３は、サイズ「Ｓ」より１段階大きいサイズであるサイズ「Ｍ」の衣服画像「Ｇ１２」を第２の衣服画像として抽出する。
【００８７】
一方、衣服ＩＤ「Ｃ１」のサイズ「Ｓ」の衣服画像「Ｇ１１」が第１の衣服画像として表示装置に表示されているときに、予め設定された所定速度以上の移動速度を有し、方向「Ｄ１１」への閾値「Ｔ１１」を超える移動量の入力位置の移動が操作情報として取得部１２により取得された場合には、抽出部１３は、サイズ「Ｓ」より２段階大きいサイズであるサイズ「Ｌ」の衣服画像「Ｇ１３」を第２の衣服画像として抽出する。なお、衣服ＩＤ「Ｃ１」の衣服として、サイズ「Ｌ」よりさらに大きいサイズの衣服が関連付けられている場合には、入力位置の移動速度に応じてそれらの衣服の衣服画像が抽出されることとしてもよい。
【００８８】
また、サイズＳの衣服画像Ｇ１１が表示されているときに、方向「Ｄ１１」に沿い、閾値「Ｔ１１」の２倍を超える移動量であって、移動速度が所定速度未満の入力操作が行われた場合には、入力位置の移動量が閾値「Ｔ１１」を超えるごとに、抽出部１３が、サイズＭの衣服画像Ｇ１２及びサイズＬの衣服画像Ｇ１３を順次抽出し、表示制御部１１が、抽出された衣服画像Ｇ１２及び衣服画像Ｇ１３を近似切り替えながら表示装置に表示させる。これに対して、同様の方向及び移動量の入力操作であって、移動速度が所定速度以上の入力操作が行われた場合には、抽出部１３が、サイズＭの衣服画像Ｇ１２を抽出することなく、サイズＬの衣服画像Ｇ１３を抽出し、表示制御部１１が、抽出された衣服画像Ｇ１３を衣服画像Ｇ１１に代えて表示装置に表示させる。これにより、サイズＭの衣服画像Ｇ１２のように、ユーザが表示を望まない衣服画像に係るデータの送受信及び表示の処理負荷が軽減されると共に、所望の衣服画像の表示処理の時間を短縮できる。
【００８９】
また、例えば、衣服ＩＤ「Ｃ１」のサイズ「Ｌ」の衣服画像「Ｇ１３」が第１の衣服画像として表示装置に表示されているときに、予め設定された所定速度未満の移動速度を有し、方向「Ｄ１２」への閾値「Ｔ１２」を超える移動量の入力位置の移動が操作情報として取得部１２により取得された場合には、抽出部１３は、サイズ「Ｌ」より１段階小さいサイズであるサイズ「Ｍ」の衣服画像「Ｇ１２」を第２の衣服画像として抽出する。
【００９０】
一方、衣服ＩＤ「Ｃ１」のサイズ「Ｌ」の衣服画像「Ｇ１３」が第１の衣服画像として表示装置に表示されているときに、予め設定された所定速度以上の移動速度を有し、方向「Ｄ１２」への閾値「Ｔ１２」を超える移動量の入力位置の移動が操作情報として取得部１２により取得された場合には、抽出部１３は、サイズ「Ｌ」より２段階小さいサイズであるサイズ「Ｓ」の衣服画像「Ｇ１１」を第２の衣服画像として抽出する。なお、衣服ＩＤ「Ｃ１」の衣服として、サイズ「Ｓ」よりさらに小さいサイズの衣服が関連付けられている場合には、入力位置の移動速度に応じてそれらの衣服の衣服画像が抽出されることとしてもよい。
【００９１】
このように入力位置の移動速度に応じて衣服画像の抽出が行われるので、ユーザは、入力位置の速度を変更することにより、表示される衣服画像のサイズの変更の度合いを決定できる。従って、所望のサイズの表示が直感的な操作により実現される。
【００９２】
また、本実施形態では、第２の衣服画像の抽出のための入力位置の移動量に関する閾値は、図５に示すように、衣服及び変更する属性ごとに設定されているが、この閾値は、予め設定された一定値であってもよい。
【００９３】
また、この閾値は、ユーザに関する情報に基づき、衣服画像の属性値に応じて設定されることとしてもよい。即ち、抽出部１３は、入力操作に係るユーザに関する情報に基づいて、衣服画像のサイズ及びサイズ以外の属性値のうちの少なくとも一つごとに所定の閾値を設定することとしてもよい。
【００９４】
具体的には、例えば、抽出部１３は、画像表示装置１０が構成される電子商取引サイトにおける、入力操作に係るユーザの購入履歴情報（図示せず）を取得し、その購入履歴から購入されている衣服のサイズ等の属性を取得し、当該ユーザが購入する可能性が高い衣服のサイズの値を推定する。そして、抽出部１３は、推定されたサイズを有する衣服画像の入力位置の移動量に関する閾値を、推定されたサイズ以外のサイズを有する衣服画像よりも大きく設定する。
【００９５】
さらに具体的には、ユーザが購入する可能性が高い衣服のサイズが「Ｍ」であると推定された場合には、抽出部１３は、サイズＭの衣服画像Ｇ１２に対する入力位置の移動量に関する閾値を「Ｔ１１」より大きく設定する。この場合において、サイズＳの衣服画像Ｇ１１が表示されているときに、方向「Ｄ１１」に沿う入力操作が行われた場合には、まず、入力位置の移動量が閾値「Ｔ１１」を超えたときに、抽出部１３が、サイズＭの衣服画像Ｇ１２を抽出し、表示制御部１１が、抽出された衣服画像Ｇ１２を衣服画像Ｇ１１に代えて表示装置に表示させる。そして、引き続き入力操作が行われ、入力操作の移動量がさらに閾値「Ｔ１１」を超えた場合であっても、通常より大きく設定された閾値を超えない限り、サイズＭの衣服画像Ｇ１２が表示され続けることとなる。
【００９６】
また、ユーザが購入する可能性が高い衣服のサイズが「Ｍ」であると推定され、抽出部１３により、サイズＭの衣服画像Ｇ１２に対する入力位置の移動量に関する閾値が「Ｔ１１」より大きく設定された場合の他の具体例を説明する。即ち、サイズＳの衣服画像Ｇ１１が表示されているときに、移動速度が所定速度以上であって、方向「Ｄ１１」に沿い閾値「Ｔ１１」の２倍を超える移動量の入力操作が行われた場合であっても、入力位置の移動量が、サイズＳの衣服画像に対する閾値「Ｔ１１」とサイズＭの衣服画像に対する閾値（Ｔ１１より大きい）との和を超えない限りは、抽出部１３が、サイズＭの衣服画像Ｇ１２を抽出し、表示制御部１１が、抽出された衣服画像Ｇ１２を衣服画像Ｇ１１に代えて表示装置に表示させる。
【００９７】
また、上述のとおり、ユーザを表す人体モデル画像Ｈは、ユーザの身体的サイズに関する情報に基づき調整されているので、抽出部１３は、ユーザの身体的サイズに関する情報又は人体モデル画像Ｈのサイズに基づいて、ユーザが購入する可能性が高い衣服のサイズを推定することとしてもよい。
【００９８】
このように、ユーザに関する情報に基づいて、衣服画像の属性値に応じた、入力位置の移動量に関する閾値が設定されることにより、当該ユーザの所望のサイズの衣服画像を表示させることが容易になるように制御することが可能となる。なお、ユーザが購入する可能性が高い衣服のサイズの推定は、種々の周知技術により実現される。
【００９９】
また、抽出部１３は、表示された衣服及び抽出された衣服の在庫情報に基づいて、衣服画像の抽出を行うこととしてもよい。
【０１００】
即ち、抽出部１３は、第１の衣服画像より大きいサイズの衣服画像が抽出された場合において、抽出された衣服画像に関連付けられた在庫情報においてその衣服画像に表された衣服の在庫がないことが示されている場合に、抽出された衣服画像より大きいサイズの衣服画像を第２の衣服画像として再抽出することとしてもよい。
【０１０１】
具体的には、例えば、衣服ＩＤ「Ｃ１」のサイズ「Ｓ」の衣服画像「Ｇ１１」が第１の衣服画像として表示装置に表示されているときに、方向「Ｄ１１」への閾値「Ｔ１１」を超える移動量の入力位置の移動が操作情報として取得部１２により取得され、サイズ「Ｓ」より１段階大きいサイズであるサイズ「Ｍ」の衣服画像「Ｇ１２」が抽出された場合において、抽出部１３は、在庫情報記憶部２３を参照して、衣服ＩＤ「Ｃ１」、サイズ「Ｍ」の衣服の在庫情報「Ｍ１２」を取得し、在庫情報「Ｍ１２」により当該衣服の在庫がないことが示されている場合に、サイズ「Ｍ」の衣服画像「Ｇ１２」より大きいサイズ「Ｌ」の衣服画像「Ｇ１３」を第２の衣服画像として再抽出する。そして、表示制御部１１は、再抽出された衣服画像「Ｇ１３」を、第１の衣服画像に代えて表示装置に表示させる。
【０１０２】
また、抽出部１３は、第１の衣服画像より小さいサイズの衣服画像が抽出された場合において、抽出された衣服画像に関連付けられた在庫情報においてその衣服画像に表された衣服の在庫がないことが示されている場合に、抽出された衣服画像より小さいサイズの衣服画像を第２の衣服画像として再抽出することとしてもよい。
【０１０３】
具体的には、例えば、衣服ＩＤ「Ｃ１」のサイズ「Ｌ」の衣服画像「Ｇ１３」が第１の衣服画像として表示装置に表示されているときに、方向「Ｄ１２」への閾値「Ｔ１２」を超える移動量の入力位置の移動が操作情報として取得部１２により取得され、サイズ「Ｌ」より１段階小さいサイズであるサイズ「Ｍ」の衣服画像「Ｇ１２」が抽出された場合において、抽出部１３は、在庫情報記憶部２３を参照して、衣服ＩＤ「Ｃ１」、サイズ「Ｍ」の衣服の在庫情報「Ｍ１２」を取得し、在庫情報「Ｍ１２」により当該衣服の在庫がないことが示されている場合に、サイズ「Ｍ」の衣服画像「Ｇ１２」より小さいサイズ「Ｓ」の衣服画像「Ｇ１１」を第２の衣服画像として再抽出する。そして、表示制御部１１は、再抽出された衣服画像「Ｇ１１」を、第１の衣服画像に代えて表示装置に表示させる。
【０１０４】
このような制御により、在庫がない衣服の衣服画像が抽出された場合に、当該衣服よりさらに大きい、または小さいサイズの衣服画像が再抽出されるので、在庫がない衣服の衣服画像が表示されない。従って、ユーザに対して、在庫がない衣服の衣服画像が提示されることを防止できる。
【０１０５】
次に、図８及び図１０を参照して、スカートを表す衣服画像の表示の例を具体的に説明する。例えば、取得部１２により、図８の矢印ｒ２に示される入力操作に係る操作情報が取得された例を説明する。この例では、衣服画像Ｇ２１２（サイズ「Ｍ」、属性２「ミディアム丈」）が表示装置に表示されているときに行われた入力操作（矢印「ｒ２」）における入力位置の移動が、方向「Ｄ２２１」に沿って、閾値「Ｔ２２１」を超える移動量の移動である場合に、表示制御情報記憶部２２において、属性２がミディアム丈からロング丈に変更することが設定されているので、抽出部１３は、衣服ＩＤ「Ｃ２」の衣服画像のうち、衣服画像Ｇ２１２に関連付けられた、サイズ「Ｍ」、属性２「ロング丈」の衣服画像Ｇ２２２を抽出する。
【０１０６】
そして、表示制御部１１は、図１０に示すように、衣服画像Ｇ２２２を、衣服画像Ｇ２１２に代えて、端末Ｔの表示装置に表示させる。この表示に際して、表示制御部１１は、寸法データＥ２２２に基づいて、衣服画像Ｇ２２２の大きさを人体モデル画像Ｈと縮尺が合うように調整する。また、表示制御部１１は、衣服画像Ｇ２２２における腰の位置を示す重畳基準位置を、人体モデル画像Ｈにおける腰の位置を示す基準位置に合わせて、衣服画像Ｇ２２２を表示する。
【０１０７】
また、衣服画像Ｇ２２２（サイズ「Ｍ」、属性２「ロング丈」）が表示装置に表示されているときに行われた入力操作における入力位置の移動が、方向「Ｄ２２１」の逆方向である方向「Ｄ２２２」に沿って、閾値「Ｔ２２２」を超える移動量の移動である場合に、抽出部１３は、衣服ＩＤ「Ｃ２」の衣服画像のうち、衣服画像Ｇ２２２に関連付けられた、サイズ「Ｍ」、属性２「ミディアム丈」の衣服画像Ｇ２１２を抽出する。
【０１０８】
これまでに説明した実施形態では、第２の衣服画像は、第１の衣服画像に対して１種類の属性の値が異なっていたが、衣服画像が複数の属性を有し、それらの属性の属性値が異なる複数の衣服画像が関連付けられて衣服画像記憶部２１に記憶されている場合には、第１の衣服画像に対して２種類以上の属性の値が異なる第２の衣服画像が抽出されて、第１の衣服画像に代えて表示されることとしてもよい。
【０１０９】
即ち、衣服画像がサイズ及びサイズ以外の他の属性を有する場合に、抽出部１３は、第１の方向に沿う前記入力位置の移動量が所定の第１の閾値を超えた場合に、前記第１の衣服画像と異なるサイズを有する衣服画像を第２の衣服画像として抽出し、第２の方向に沿う前記入力位置の移動量が所定の第２の閾値を超えた場合に、前記第１の衣服画像と異なる他の属性の属性値を有する衣服画像を第２の衣服画像として抽出することとしてもよい。
【０１１０】
具体的には、例えば、図８に示されるような、表示装置に表示された衣服画像Ｇ２１２（サイズ「Ｍ」、属性２「ミディアム丈」）上において、斜め右下方向に入力位置を移動させる入力操作が行われ、その入力操作に関する操作情報が取得部１２により取得されると、抽出部１３は、取得された操作情報から、横（右）方向の移動量及び縦（下）方向の移動量を抽出する。抽出部１３は、横（右）方向の移動量が閾値Ｔ２１１を超えるか否かを判定し、縦（下）方向の移動量が閾値Ｔ２２１を超えるか否かを判定する。そして、横（右）方向の移動量が閾値Ｔ２１１を超え、且つ、縦（下）方向の移動量が閾値Ｔ２２１を超えると判定された場合には、抽出部１３は、衣服画像Ｇ２１２に関連付けられた衣服画像（図４参照）のうち、衣服画像Ｇ２１２のサイズ「Ｍ」より大きいサイズ「Ｌ」を有し、且つ、属性２が「ロング丈」である（図５参照）衣服画像Ｇ２２３を第２の衣服画像として抽出する。
【０１１１】
このように、第１の衣服画像とは異なる第１及び第２の属性を有する衣服画像が第１の衣服画像に代えて表示されるので、表示された第１の衣服画像とは異なる属性を有する衣服画像を、直感的且つ簡易な一つの操作により表示させることが可能となる。また、第１の衣服画像に代えて表示される第２の衣服画像は、当該衣服の属性のバリエーションとして予め記憶された衣服画像の中から抽出されるので、実際に存在する属性を有する衣服画像を表示させることが可能となる。
【０１１２】
なお、本実施形態では、衣服画像の属性として、サイズの他にスカートの丈が設定されているが、シャツの形状（「スリムタイプ」、「レギュラータイプ」）、袖の長さ（「長袖」、「半袖」）等の属性が設定されることとしてもよい。
【０１１３】
また、本実施形態では、人体モデル画像Ｈに重畳された衣服画像が変更される例を示したが、衣服画像が人体モデル画像Ｈに重畳されずに単独で表示されることとしてもよい。
【０１１４】
次に、図１１を参照して、本実施形態の画像表示装置１０の動作について説明する。図１１は、画像表示装置１０において実施される画像表示方法の処理内容を示すフローチャートである。
【０１１５】
まず、表示制御部１１は、例えばユーザにより選択された衣服画像である第１の衣服画像を端末Ｔの表示装置に表示させる（Ｓ１）。続いて、取得部１２は、第１の衣服画像が表示されている端末において行われた入力操作を受け付けたか否かを判定する（Ｓ２）。入力操作を受け付けたと判定された場合には、処理手順はステップＳ３に進められる。一方、入力操作を受け付けたと判定されなかった場合には、ステップＳ２の判定処理が繰り返される。
【０１１６】
ステップＳ３において、取得部１２は、入力操作に関する操作情報を取得する（Ｓ３）。続くステップＳ４において、抽出部１３は、ステップＳ３において取得された操作情報に含まれる入力位置の所定方向における移動量が所定の閾値を超えたか否かを判定する（Ｓ４）。入力位置の所定方向における移動量が所定の閾値を超えたと判定された場合には、処理手順はステップＳ５に進められる。一方、入力位置の所定方向における移動量が所定の閾値を超えたと判定されなかった場合には、処理手順はステップＳ２に戻る。
【０１１７】
ステップＳ５において、抽出部１３は、サイズが異なる複数の衣服画像を関連付けて記憶している衣服画像記憶部２１から、第１の衣服画像に関連付けられた衣服画像のうち、第１の衣服画像とは異なるサイズの衣服画像を第２の衣服画像として抽出する（Ｓ５）。
【０１１８】
そして、表示制御部１１は、抽出部１３により抽出された第２の衣服画像を、第１の衣服画像に代えて端末Ｔの表示装置に表示させる（Ｓ６）。
【０１１９】
次に、図１２を参照して、コンピュータを画像表示装置１０として機能させるための画像表示プログラムを説明する。画像表示プログラムｐ１は、メインモジュールｍ１０、表示制御モジュールｍ１１、取得モジュールｍ１２及び抽出モジュールｍ１３を備える。
【０１２０】
メインモジュールｍ１０は、画像表示処理を統括的に制御する部分である。表示制御モジュールｍ１１、取得モジュールｍ１２及び抽出モジュールｍ１３を実行することにより実現される機能はそれぞれ、図１に示される画像表示装置１０の表示制御部１１、取得部１２及び抽出部１３の機能と同様である。
【０１２１】
画像表示プログラムｐ１は、例えば、ＣＤ−ＲＯＭやＤＶＤ−ＲＯＭまたは半導体メモリ等の記憶媒体ｄ１によって提供される。また、画像表示プログラムｐ１は、搬送波に重畳されたコンピュータデータ信号として通信ネットワークを介して提供されてもよい。
【０１２２】
以上説明した本実施形態の画像表示システム１、画像表示方法及び画像表示プログラムｐ１によれば、第１の衣服画像が表示されているときに行われた入力操作が取得され、入力位置の所定方向の移動量が所定の閾値を超えた場合に、第１の衣服画像とは異なるサイズの衣服画像が第１の衣服画像に代えて表示されるので、サイズの変更という要求に対して直感的であり、且つ、入力位置を移動させるような簡易な一つの操作により、表示された衣服画像のサイズを変更することが可能となる。また、第１の衣服画像に代えて表示される第２の衣服画像は、当該衣服のサイズのバリエーションとして予め記憶された衣服画像の中から抽出されるので、表示された衣服画像の拡大処理または縮小処理とは異なり、実際に存在するサイズの衣服画像を表示させることが可能となる。
【０１２３】
以上、本発明をその実施形態に基づいて詳細に説明した。しかし、本発明は上記実施形態に限定されるものではない。本発明は、その要旨を逸脱しない範囲で様々な変形が可能である。本実施形態の画像表示システム１では、表示制御部１１、取得部１２及び抽出部１３が画像表示装置１０に構成されることとしているが、これらの機能部１１〜１３のうちのいくつかまたは全部が端末Ｔに構成されてもよい。
【０１２４】
（第２実施形態）
図１３は、第２実施形態に係る画像表示装置１０Ａ（１０）の機能的構成を示すブロック図である。本実施形態の画像表示装置１０Ａは、棚、ソファ等の家具を販売する電子商取引サイトに構成される装置である。例えば、画像表示装置１０Ａは、ユーザの端末Ｔにおいて指定された検索条件に基づき、家具の一種である棚の検索を行い、検索の結果として得られた棚の画像（第１の表示オブジェクト）を端末Ｔの表示装置（ディスプレイ）に表示させる。また、画像表示装置１０Ａは、飲料水及び食品等を販売する電子商取引サイトに構成される装置であってもよい。
【０１２５】
図１３に示すように、画像表示装置１０Ａは、機能的には、表示制御部１１Ａ（表示制御手段）、取得部１２Ａ（取得手段）、抽出部１３Ａ（抽出手段）及び画像取得部１４Ａ（画像取得手段）を備える。また、画像表示装置１０Ａは、画像記憶部２１Ａといった記憶手段にアクセス可能である。なお、この画像記憶部２１Ａは、画像表示装置１０ＡとネットワークＮを介してアクセス可能に構成されていてもよいし、画像表示装置１０Ａの内部に構成されることとしてもよい。
【０１２６】
また、画像表示装置１０Ａが有する各機能部１１Ａ〜１４Ａはのうちのいくつかまたは全部が端末Ｔに構成されてもよい。即ち、各機能部１１Ａ〜１４Ａの全てが端末Ｔに構成される場合には、表示制御部１１Ａ、取得部１２Ａ、抽出部１３Ａ及び画像取得部１４Ａを備える端末Ｔ、及びネットワークＮを介して端末Ｔからアクセス可能である画像記憶部２１Ａにより、本実施形態の画像表示システムが構成される。図１４以降を参照して説明される本実施形態の画像表示システムでは、表示制御部１１Ａ、取得部１２Ａ、抽出部１３Ａ及び画像取得部１４Ａが端末Ｔに構成される例として説明される。なお、第２実施形態における画像表示装置１０Ａ及び端末Ｔは、物理的には、図３に示すようなハードウェア構成を有するコンピュータシステムとして構成される。
【０１２７】
再び図１３を参照して、まず、画像記憶部２１Ａを説明する。図１４は、画像記憶部２１Ａに記憶されている表示オブジェクトの例を示す図である。図１４に示すように、画像記憶部２１Ａは、例えば、商品である棚を表す画像である表示オブジェクトＲ１１〜Ｒ３４を記憶している。各表示オブジェクトは、第１〜第３の属性パラメータを有する。第１〜第３の属性パラメータは、表示オブジェクトにより表される物体の３軸の座標系における各座標軸に沿う長さを表す。本実施形態では、第１〜第３の属性パラメータはそれぞれ、表示オブジェクトにより表される棚の高さ（Ｈ）、幅（Ｗ）、奥行き（Ｄ）である。例えば、表示オブジェクトＲ１１により表される棚は、高さ：１６０、幅：６０、奥行き：３０を第１〜第３の属性パラメータとして有する。
【０１２８】
図１５を参照しながら、図１３の各機能部１１Ａ〜１４Ａを説明する。図１５は、端末Ｔの表示装置に表示された表示画面の例を示す図である。画像取得部１４Ａは、現実空間の画像を取得する。具体的には、画像取得部１４Ａは、例えば、端末Ｔが備えるカメラにより撮像された現実空間の画像を取得する。図１５に示す例では、画像取得部１４Ａは、端末Ｔが存在する部屋の様子を表す画像を取得する。
【０１２９】
図１５に示すように、表示制御部１１Ａは、画像取得部１４Ａにより取得された現実空間の画像を端末Ｔの表示装置に表示させる。また、表示制御部１１Ａは、表示オブジェクトＲ２１を、現実空間の画像に重畳して表示させる。表示オブジェクトＲ２１は、例えば、画像記憶部２１Ａに記憶された複数の表示オブジェクトの中から端末Ｔのユーザにより選択されたものである。ここでは、表示制御部１１Ａは、ユーザにより指定された任意の位置に表示オブジェクトＲ２１を表示させてもよい。また、表示制御部１１Ａは、現実空間の画像から検出した壁面に、表示オブジェクトＲ２１により表される棚の背面を位置合わせして、表示オブジェクトＲ２１を表示させてもよい。
【０１３０】
取得部１２Ａは、表示オブジェクトＲ２１（第１の表示オブジェクト）が端末Ｔの表示装置に表示されているときに、矢印ｒ３に示される入力操作が行われると、その入力位置の移動方向及び移動量を含む操作情報を取得する。具体的には、取得部１２Ａは、矢印ｒ３が図示横方向（表示オブジェクトＲ２１の奥行き方向に沿う方向）を示すこと、及び矢印ｒ３の長さに相当する量を移動方向及び移動量として取得する。
【０１３１】
なお、取得部１２Ａは、表示された第１の表示オブジェクトＲ２１上を始点として行われた入力操作を取得することとしてもよいし、表示装置の画面上のいずれの箇所を始点とするかによらず入力操作を取得することとしてもよい。また、端末Ｔの表示装置がタッチパネルにより構成されている場合には、この入力操作は、タッチパネルにおけるピンチ操作またはスワイプ操作であってもよい。また、入力操作は、マウス等の入力装置によるドラッグ操作であってもよい。例えば、図１５の矢印ｒ３は、図示横方向の拡大操作に対応するピンチ操作を表す。
【０１３２】
抽出部１３Ａは、互いに異なる所定の第１〜第３の方向のうちのいずれかの方向における入力位置の移動量が所定の閾値を超えた場合に、第１の表示オブジェクトにより表される物体における第１〜第３の軸と第１〜第３の方向との対応関係に基づき、入力位置の移動方向に対応する座標軸に応じて第１〜第３の属性パラメータのうちの少なくとも１つの属性パラメータを変更させるべき属性パラメータとして取得する。物体における第１〜第３の軸と前記第１〜第３の方向との対応関係は、表示装置に表示された第１の表示オブジェクトの向きに基づいて決定される。
【０１３３】
図１６及び図１７を参照して、抽出部１３Ａによる属性パラメータの取得について具体的に説明する。図１６は、表示装置に表示された表示オブジェクトＯ１を示す図である。図１６に示すように、表示オブジェクトＯ１は、奥行き（Ｄ）、幅（Ｗ）及び高さ（Ｈ）が、表示画面上におけるＸ軸、Ｙ軸及びＺ軸に対応するように表示されている。このように表示オブジェクトＯ１が表示されている場合において、Ｘ軸方向に沿って移動する入力操作（例えば、拡大操作または縮小操作を示すピンチ操作）が取得部１２Ａにより取得された場合には、抽出部１３Ａは、奥行き（Ｄ）を変更させるべき属性パラメータとして取得する。
【０１３４】
同様に、Ｙ軸方向に沿って移動する入力操作が取得部１２Ａにより取得された場合には、抽出部１３Ａは、幅（Ｗ）を変更させるべき属性パラメータとして取得する。Ｚ軸方向に沿って移動する入力操作が取得部１２Ａにより取得された場合には、抽出部１３Ａは、高さ（Ｈ）を変更させるべき属性パラメータとして取得する。各軸方向に沿って移動する入力操作は、拡大操作または縮小操作を示すピンチ操作であってもよいし、当該軸方向に沿って入力位置を一方向に移動させる操作（例えばスワイプ操作またはドラッグ操作）であってもよい。なお、抽出部１３Ａにおける入力操作の移動方向の認識においては、各軸の方向に対して所定範囲の誤差が許容されることとしてもよい。
【０１３５】
図１７は、各軸の方向と属性パラメータとの対応関係が図１６とは異なる場合の例を示す図である。図１７に示すように、表示オブジェクトＯ２は、幅（Ｗ）、奥行き（Ｄ）及び高さ（Ｈ）が、表示画面上におけるＸ軸、Ｙ軸及びＺ軸に対応するように表示されている。このように表示オブジェクトＯ２が表示されている場合において、Ｘ軸方向に沿って移動する入力操作が取得部１２Ａにより取得された場合には、抽出部１３Ａは、幅（Ｗ）を変更させるべき属性パラメータとして取得する。
【０１３６】
同様に、Ｙ軸方向に沿って移動する入力操作が取得部１２Ａにより取得された場合には、抽出部１３Ａは、奥行き（Ｄ）を変更させるべき属性パラメータとして取得する。Ｚ軸方向に沿って移動する入力操作が取得部１２Ａにより取得された場合には、抽出部１３Ａは、高さ（Ｈ）を変更させるべき属性パラメータとして取得する。図１６と同様に、各軸方向に沿って移動する入力操作は、拡大操作または縮小操作を示すピンチ操作であってもよいし、当該軸方向に沿って入力位置を一方向に移動させる操作（例えばスワイプ操作またはドラッグ操作）であってもよい。
【０１３７】
図１８と共に、再び図１５を参照して、第１のオブジェクトに代えて第２のオブジェクトを表示させる処理について説明する。抽出部１３Ａは、取得した第１〜第３の属性パラメータのうちの少なくとも１つが第１の表示オブジェクトと異なる第２の表示オブジェクトを抽出する。
【０１３８】
具体的には、図１５の矢印ｒ３に示されるように、移動量が所定の閾値を超える入力操作（拡大操作を示すピンチ操作）が取得部１２Ａにより取得された場合には、抽出部１３Ａは、入力操作の移動方向がＸ軸方向に沿い、表示オブジェクトＲ２１の奥行き（Ｄ）がＸ軸の方向に対応するので、奥行き（Ｄ）を変更させるべき属性パラメータとして取得する。
【０１３９】
そして、抽出部１３Ａは、第１〜第３の属性パラメータのうちの少なくとも１つの値が第１の表示オブジェクトの次に大きい又は小さい値を有する表示オブジェクトを前記第２の表示オブジェクトとして抽出する。具体的には、抽出部１３Ａは、奥行き（Ｄ）の値が表示オブジェクトＲ２１の次に大きいまたは小さい値を有する表示オブジェクトを第２の表示オブジェクトとして抽出する。
【０１４０】
なお、縮小操作を示すピンチ操作が取得された場合には、抽出部１３Ａは、対応する属性パラメータが第１の表示オブジェクトＲ２１より小さい値を有する表示オブジェクトを抽出する。また、抽出部１３Ａは、入力位置を第１の表示オブジェクトＲ２１の略中心位置から遠ざかる方向に移動させる入力操作が取得された場合には、対応する属性パラメータが第１の表示オブジェクトＲ２１より大きい値を有する表示オブジェクトを抽出し、入力位置を第１の表示オブジェクトＲ２１の略中心位置に近付く方向に移動させる入力操作が取得された場合には、対応する属性パラメータが第１の表示オブジェクトＲ２１より小さい値を有する表示オブジェクトを抽出することとしてもよい。
【０１４１】
抽出部１３Ａは、画像記憶部２１Ａ（記憶手段）において、第１の表示オブジェクトＲ２１に関連付けられている表示オブジェクトを抽出する。具体的には、抽出部１３Ａは、第１の表示オブジェクトＲ２１に関連付けられている表示オブジェクトＲ１１〜Ｒ３４（図１４に示す画像記憶部２１Ａ）の中から、奥行き（Ｄ）の長さが表示オブジェクトＲ２１より大きい値を有し、幅（Ｗ）及び高さ（Ｈ）の長さが表示オブジェクトＲ２１と同じ値である表示オブジェクトＲ２３を第２の表示オブジェクトとして抽出する。そして、図１８に示すように、表示制御部１１Ａは、表示オブジェクトＲ２１に代えて、表示オブジェクトＲ２３を表示措置に表示させる。
【０１４２】
また、抽出部１３Ａは、第１の表示オブジェクトの第１〜第３の属性パラメータのうちの少なくとも１つの値に所定値を加えた値又は所定値を乗じた値を第１〜第３の属性パラメータのうちの少なくとも１つに関する検索条件として少なくとも含む検索を記憶手段に対して行うことにより第２の表示オブジェクトを抽出してもよい。なお、検索条件の生成のための所定値は、正の値であっても負の値であってもよい。また、所定値は、１を超える値であっても１未満の値であってもよい。
【０１４３】
具体的には、抽出部１３Ａは、属性パラメータが関連付けられた複数の表示オブジェクトの一部又は全部が互いに関連づけられていない場合に、属性パラメータの値を検索条件に含む検索を実施することにより、第２のオブジェクトを抽出してもよい。
【０１４４】
例えば、図１５の矢印ｒ３に示される入力操作が取得部１２Ａにより取得された場合には、抽出部１３Ａは、入力操作の移動方向がＸ軸方向に沿い、表示オブジェクトＲ２１の奥行き（Ｄ）がＸ軸の方向に対応するので、奥行き（Ｄ）を変更させるべき属性パラメータとして取得する。また、矢印ｒ３に示される入力操作は、拡大操作を示すピンチ操作であるので、表示オブジェクトＲ２１の奥行き（Ｄ）の値よりも大きい値が奥行き（Ｄ）に関する検索条件とされる。
【０１４５】
抽出部１３Ａは、表示オブジェクトＲ２１の奥行きの値３０ｃｍに所定の値を加えた値又は所定値を乗じた値を奥行き（Ｄ）に関する検索条件として生成する。例えば、画像記憶部２１Ａにおいて一部の関連付けられた複数の表示オブジェクトの奥行きが、１５ｃｍ間隔で分布していることが記憶手段の参照により認識される場合には、抽出部１３Ａは、第１の表示オブジェクトＲ２１の奥行き（Ｄ）の値３０ｃｍに１５ｃｍを加えた値である４５ｃｍを奥行き（Ｄ）に関する検索条件として生成する。なお、検索条件の生成のために第１の表示オブジェクトの属性パラメータの値に加えたり乗じたりする所定値は、ユーザにより指定された値であってもよいし、システムにおいて予め設定された任意の値であってもよい。
【０１４６】
そして、抽出部１３Ａは、奥行き（Ｄ）：４５ｃｍ並びに表示オブジェクトＲ２１の幅：６０ｃｍ及び高さ：１２０ｃｍを検索条件として画像記憶部２１Ａ中を検索し、表示オブジェクトＲ２３を第２の表示オブジェクトとして抽出する。なお、検索条件に合致する表示オブジェクトが画像記憶部２１Ａに存在しない場合には、抽出部１３Ａは、複数の各属性パラメータに関する検索条件のそれぞれの値を、設定された値の近傍の範囲に広げて検索を行うこととしてもよい。また、このような検索に際して、各パラメータの検索範囲の広げ方に対して、重み付けに差をつけてもよい。
【０１４７】
また、抽出部１３Ａは、表示オブジェクトが重畳される画像に基づいて、表示オブジェクトにより表される物体の大きさに関する制約条件を取得し、制約条件に基づいて検索条件を生成してもよい。表示オブジェクトが重畳される画像は、例えば、表示オブジェクトにより表される物体が配置される空間を表す画像である。具体的には、図１５及び図１８を参照して説明したように、画像取得部１４Ａは、表示オブジェクトが重畳される現実空間の画像を取得する。抽出部１３Ａは、現実空間の画像に基づいて、表示オブジェクトにより表される物体が配置される位置周辺の種々の構造を認識できる。
【０１４８】
抽出部１３Ａは、例えば、現実空間の画像が有する色情報に基づいて、周知の画像処理技術を用いることにより、取得した現実空間の画像における壁面、床面並びにテーブルの位置及び表面等を認識できる。また、ＲＧＢ−Ｄカメラといった深度情報を取得できるカメラを端末Ｔが有する場合には、取得した画像に表された物体までの距離をより高精度に取得できる。また、端末Ｔが加速度センサを備えている場合には、端末Ｔの位置を変えながら複数の画像を取得し、画像中の特徴点をトラッキングすることにより、ジャイロセンサによる検出値に基づいて、その特徴点が属する物体までの距離を取得できる。
【０１４９】
抽出部１３Ａは、現実空間の画像から認識した種々の構造に基づいて、表示オブジェクトにより表される物体が配置される位置周辺の空間の大きさを認識し、その大きさの空間に配置可能な物体の大きさを制約条件として取得する。そして、抽出部１３Ａは、取得した制約条件に基づいて、画像記憶部２１Ａから第２の表示オブジェクトを検索するための検索条件を生成する。
【０１５０】
例えば、現実空間の画像に基づいて、表示オブジェクトにより表される物体が配置される位置の空間の幅が７０ｃｍであることが認識された場合に、抽出部１３Ａは、（幅（Ｗ）＜７０ｃｍ）を制約条件として設定し、この制約条件に基づいて画像記憶部２１Ａを検索する際の検索条件を生成する。従って、このような検索条件により、幅（Ｗ）が７５ｃｍの棚は検索されないこととなる。このように制約条件の取得及び検索条件の生成が行われることにより、その空間に配置可能な物体を適切に抽出できる。
【０１５１】
また、表示制御部１１Ａは、表示オブジェクトが重畳される画像に基づいて、表示オブジェクトにより表される物体の大きさに関する制約条件を取得し、第２の表示オブジェクトにより表される物体が制約条件を満たさない場合に、当該第２の表示オブジェクトを表示装置に表示させず、第１の表示オブジェクトの表示を維持することとしてもよい。
【０１５２】
具体的には、前述したように、画像取得部１４Ａにより取得された現実空間の画像に基づいて、表示オブジェクトにより表される物体が配置される位置周辺の種々の構造が認識できるので、表示制御部１１Ａは、表示オブジェクトにより表される物体が配置される位置周辺の空間の大きさを認識し、その大きさの空間に配置可能な物体の大きさを制約条件として取得する。そして、抽出部１３Ａにより抽出された第２の表示オブジェクトが制約条件を満たさない場合には、表示制御部１１Ａは、第１の表示オブジェクトに代えて第２の表示オブジェクトを表示させることを実行せずに、第１の表示オブジェクトの表示を維持する。
【０１５３】
例えば、現実空間の画像に基づいて、表示オブジェクトにより表される物体が配置される位置の空間の奥行きに相当する長さが４０ｃｍであることが認識された場合に、抽出部１３Ａにより表示オブジェクトＲ２３（奥行き：４５ｃｍ）が第２の表示オブジェクトとして抽出された場合であっても、表示制御部１１Ａは、表示オブジェクトＲ２１に代えて表示オブジェクトＲ２３を表示させずに、表示オブジェクトＲ２１の表示を維持する。これにより、表示オブジェクトにより表される物体が配置される空間に対して不適切な大きさを有する第２の表示オブジェクトが表示されることが防止される。
【０１５４】
表示制御部１１Ａは、表示オブジェクトが重畳される画像に基づいて、表示オブジェクトにより表される物体の配置に関する基準位置を取得し、第２の表示オブジェクトにおける基準位置に重畳すべき位置を示す重畳基準位置を基準位置に合わせて、第２の表示オブジェクトを空間の画像に重畳して表示させることとしてもよい。
【０１５５】
具体的には、前述したように、画像取得部１４Ａにより取得された現実空間の画像に基づいて、表示オブジェクトにより表される物体が配置される位置周辺の種々の構造が認識できる。そして、表示制御部１１Ａは、現実空間の画像から、壁面の位置及び床面の位置等を物体の配置に関する基準位置として取得する。一方、画像記憶部２１Ａに記憶されている表示オブジェクトは、属性パラメータに加えて、壁面に沿わせるべき背面及び床面に沿わせるべき底面を重畳基準位置として有することができる。表示制御部１１Ａは、図１８に示すように、表示オブジェクトＲ２３の重畳基準位置である背面及び底面を、現実空間の画像における基準位置である壁面及び床面に位置合わせをして、表示オブジェクトＲ２３を現実空間の画像に重畳して表示させる。このように表示させることにより、第２の表示オブジェクトが、現実空間の画像に対して適切に重畳されるので、当該第２の表示オブジェクトにより表される物体が空間に配置された様子を適切に表すことが可能となる。
【０１５６】
図１９を参照して、画像記憶部２１Ａに記憶されている表示オブジェクトの他の例を示す。図１９に示すように、画像記憶部２１Ａは、家具の一種であるソファを表す表示オブジェクトＦ１１〜Ｆ３３を互いに関連付けて記憶している。これらの表示オブジェクトには、構成する物体の個数が属性パラメータとして関連付けられている。具体的には、これらの表示オブジェクトには、図示左右方向のユニット数（第１の属性パラメータ）及び図示奥行き方向のユニット数（第２の属性パラメータ）が属性パラメータとして関連付けられている。
【０１５７】
例えば、表示制御部１１Ａにより、表示オブジェクトＦ２２が、図示左右方向及び奥行き方向がそれぞれ表示画面上のＸ軸方向（第１の方向）及びＹ軸方向（第２の方向）に対応するように、第１の表示オブジェクトとして表示装置に表示されている場合において、Ｘ軸方向に沿った入力操作の移動量が所定の閾値を超えた場合には、抽出部１３Ａは、図示左右方向のユニット数を、変更させるべき属性パラメータとして取得する。
【０１５８】
そして、抽出部１３Ａは、入力操作のＸ軸方向における移動量が所定の閾値を超えた場合に、記憶手段から、第１の表示オブジェクトとは構成する物体の個数が異なる表示オブジェクトを、第２の表示オブジェクトとして抽出する。具体的には、抽出部１３Ａは、Ｘ軸方向に沿う拡大操作を示すピンチ操作が取得された場合には、表示オブジェクトＦ２２より左右方向のユニット数が多い表示オブジェクトＦ２１を抽出する。一方、Ｘ軸方向に沿う縮小操作を示すピンチ操作が取得された場合には、表示オブジェクトＦ２２より左右方向のユニット数が少ない表示オブジェクトＦ２３を抽出する。表示制御部１１Ａは、抽出された表示オブジェクトＦ２１またはＦ２３を、表示オブジェクトＦ２２に代えて表示装置に表示させる。
【０１５９】
なお、抽出部１３Ａは、Ｘ軸方向に沿って入力位置を一方向に移動させる操作であって、その移動方向が表示オブジェクトＦ２２の略中心位置から遠ざかる方向である入力操作が取得された場合には、表示オブジェクトＦ２２より左右方向のユニット数が多い表示オブジェクトＦ２１を抽出してもよい。また、抽出部１３Ａは、Ｘ軸方向に沿って入力位置を一方向に移動させる操作であって、その移動方向が表示オブジェクトＦ２２の略中心位置に近付く方向である入力操作が取得された場合には、表示オブジェクトＦ２２より左右方向のユニット数が少ない表示オブジェクトＦ２３を抽出してもよい。
【０１６０】
また、Ｙ軸方向に沿った入力操作の移動量が所定の閾値を超えた場合には、抽出部１３Ａは、図示奥行き方向のユニット数を、変更させるべき属性パラメータとして取得する。抽出部１３Ａは、Ｙ軸方向に沿う拡大操作を示すピンチ操作が取得された場合には、表示オブジェクトＦ２２より奥行き方向のユニット数が多い表示オブジェクトＦ１２を抽出する。一方、Ｙ軸方向に沿う縮小操作を示すピンチ操作が取得された場合には、表示オブジェクトＦ２２より奥行き方向のユニット数が少ない表示オブジェクトＦ３２を抽出する。表示制御部１１Ａは、抽出された表示オブジェクトＦ１２またはＦ３２を、表示オブジェクトＦ２２に代えて表示装置に表示させる。
【０１６１】
なお、抽出部１３Ａは、Ｙ軸方向に沿って入力位置を一方向に移動させる操作であって、その移動方向が表示オブジェクトＦ２２の略中心位置から遠ざかる方向である入力操作が取得された場合には、表示オブジェクトＦ２２より奥行き方向のユニット数が多い表示オブジェクトＦ１２を抽出する。一方、Ｙ軸方向に沿って入力位置を一方向に移動させる操作であって、その移動方向が表示オブジェクトＦ２２の略中心位置に近付く方向である入力操作が取得された場合には、表示オブジェクトＦ２２より奥行き方向のユニット数が少ない表示オブジェクトＦ３２を抽出する。
【０１６２】
図２０〜図２２を参照して、画像記憶部２１Ａに記憶されている表示オブジェクトの他の例を示す。図２０に示すように、画像記憶部２１Ａは、ミネラルウォーターを表す表示オブジェクトＷ１１〜Ｗ３３を互いに関連付けて記憶している。これらの表示オブジェクトには、ボトル１本の容量（第１の属性パラメータ）及びボトルの数（第２の属性パラメータ）が属性パラメータとして関連付けられている。
【０１６３】
例えば、図２１に示すように、表示制御部１１Ａにより、表示オブジェクトＷ２２が、第１の表示オブジェクトとして表示装置に表示されており、ボトル１本の容量及びボトルの数のそれぞれが表示画面上のＸ軸方向及びＹ軸方向に対応付けられている場合において、矢印ｒ４に示されるようにＸ軸方向に沿った入力操作の移動量が所定の閾値を超えた場合には、抽出部１３Ａは、ボトル１本の容量を変更させるべき属性パラメータとして取得する。
【０１６４】
そして、抽出部１３Ａは、矢印ｒ４に示される入力操作が、Ｘ軸方向に沿った拡大操作を示すピンチ操作であるので、表示オブジェクトＷ２２よりボトル１本の容量が多い表示オブジェクトＷ２３を抽出する。表示制御部１１Ａは、抽出された表示オブジェクトＷ２３を、表示オブジェクトＷ２２に代えて表示装置に表示させる。表示オブジェクトにより表される商品の価格の表示が、表示オブジェクトの変更に連動して変更されることとしてもよい。
【０１６５】
また、図２２に示すように、表示制御部１１Ａにより、表示オブジェクトＷ２２が、第１の表示オブジェクトとして表示装置に表示されており、ボトル１本の容量及びボトルの数のそれぞれが表示画面上のＸ軸方向及びＹ軸方向に対応付けられている場合において、矢印ｒ５に示されるようにＹ軸方向に沿った入力操作の移動量が所定の閾値を超えた場合には、抽出部１３Ａは、ボトルの数を変更させるべき属性パラメータとして取得する。
【０１６６】
そして、抽出部１３Ａは、矢印ｒ５に示される入力操作が、Ｙ軸方向に沿った縮小操作を示すピンチ操作であるので、表示オブジェクトＷ２２よりボトルの数が少ない表示オブジェクトＷ３２を抽出する。表示制御部１１Ａは、抽出された表示オブジェクトＷ３２を、表示オブジェクトＷ２２に代えて表示装置に表示させる。表示オブジェクトにより表される商品の価格の表示が、表示オブジェクトの変更に連動して変更されることとしてもよい。
【０１６７】
以上説明した第２実施形態の画像表示システム、画像表示方法及び画像表示プログラムによれば、第１の表示オブジェクトが表示されているときに行われた入力操作が取得され、入力位置の所定の第１〜第３の方向における移動量が所定の閾値を超えた場合に、物体における第１〜第３の軸と第１〜第３の方向との対応関係に基づいて取得された変更属性パラメータが第１の表示オブジェクトとは異なる第２の表示オブジェクトが抽出され、抽出された第２の表示オブジェクトが表示装置に表示される。これにより、第１〜第３の軸に沿う長さのいずれかが第１の表示オブジェクトとは異なる第２の表示オブジェクトを、直感的且つ簡易な一つの操作により表示させることが可能となる。
【０１６８】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【０１６９】
１…画像表示システム、１０，１０Ａ…画像表示装置、１１，１１Ａ…表示制御部、１２，１２Ａ…取得部、１３，１３Ａ…抽出部、１４Ａ…画像取得部、２１…衣服画像記憶部、２１Ａ…画像記憶部、２２…表示制御情報記憶部、２３…在庫情報記憶部、ｍ１０…メインモジュール、ｍ１１…表示制御モジュール、ｍ１２…取得モジュール、ｍ１３…抽出モジュール、ｐ１…画像表示プログラム。
【図１】
2017038882.tif 000003
【図２】
2017038882.tif 000004
【図３】
2017038882.tif 000005
【図４】
2017038882.tif 000006
【図５】
2017038882.tif 000007
【図６】
2017038882.tif 000008
【図７】
2017038882.tif 000009
【図８】
2017038882.tif 000010
【図９】
2017038882.tif 000011
【図１０】
2017038882.tif 000012
【図１１】
2017038882.tif 000013
【図１２】
2017038882.tif 000014
【図１３】
2017038882.tif 000015
【図１４】
2017038882.tif 000016
【図１５】
2017038882.tif 000017
【図１６】
2017038882.tif 000018
【図１７】
2017038882.tif 000019
【図１８】
2017038882.tif 000020
【図１９】
2017038882.tif 000021
【図２０】
2017038882.tif 000022
【図２１】
2017038882.tif 000023
【図２２】
2017038882.tif 000024
【国際調査報告】
2017038882.tif 000025
2017038882.tif 000026
2017038882.tif 000027
2017038882.tif 000028